(57)【特許請求の範囲】
【請求項１】
通信部と、表示画面を有する表示部と、操作部とを備える情報処理端末によって読み取り可能なプログラムであって、前記通信部は、画像データに対する出力動作を実行する画像出力装置と通信可能であり、
該プログラムは、第１画面を前記表示部に表示させる第１表示処理を前記情報処理端末に実行させ、前記第１画面は、各々が前記画像データに対応付けられた複数の第１オブジェクトを一覧表示する第１領域と、前記第１オブジェクトのうち、選択状態の前記第１オブジェクトに対応付けられた第２オブジェクトを一覧表示する第２領域とに区画されており、前記第１オブジェクトは、対応する前記画像データで示される画像を示すオブジェクトであり、前記第２オブジェクトは、対応する前記第１オブジェクトに対応付けられた前記画像データで示される画像を、前記第１オブジェクトと異なる態様で示すオブジェクトであり、
該プログラムは、
画面に対するユーザ操作を前記操作部を通じて受け付ける受付処理と、
非選択状態の前記第１オブジェクトを指定するユーザ操作を前記受付処理で受け付けたことに応じて、指定された前記第１オブジェクトを前記選択状態にする選択処理と、
前記選択処理で前記選択状態にした前記第１オブジェクトに対応付けられた前記第２オブジェクトを、前記第２領域に追加表示する追加表示処理と、
前記選択状態の前記第１オブジェクトを指定するユーザ操作を前記受付処理で受け付けたことに応じて、指定された前記第１オブジェクトを前記非選択状態にする第１選択解除処理と、
前記第１選択解除処理で前記非選択状態にした前記第１オブジェクトに対応付けられた前記第２オブジェクトを、非表示にする第１非表示処理と、
前記第２オブジェクトを指定するユーザ操作を前記受付処理で受け付けたことに応じて、指定された前記第２オブジェクトを非表示にする第２非表示処理と、
前記第２非表示処理で非表示にした前記第２オブジェクトに対応する前記第１オブジェクトを、前記非選択状態にする第２選択解除処理と、
前記出力動作の実行を指示するユーザ操作を前記受付処理で受け付けたことに応じて、前記通信部を通じて前記画像出力装置に出力指示情報を送信する出力指示処理とを前記情報処理端末に実行させ、前記出力指示情報は、前記選択状態の前記第１オブジェクトに対応付けられた前記画像データに対する前記出力動作の実行を指示するための情報であり、
該プログラムは、
前記選択処理において、前記選択状態であることを示す選択状態画像を、前記選択状態にする前記第１オブジェクトに付加し、
前記第１選択解除処理及び前記第２選択解除処理において、前記非選択状態にする前記第１オブジェクトから前記選択状態画像を削除し、
ユーザによる前記操作部の操作に連動して表示画面上を移動するポインタ画像が前記第２オブジェクト上に位置することに応じて、前記ポインタ画像が位置する前記第２オブジェクトに対応付けて解除指示オブジェクトを表示し、前記第２オブジェクトと異なる位置に前記ポインタ画像が移動されたことに応じて、前記解除指示オブジェクトを非表示にする解除準備処理を前記情報処理端末に実行させ、
前記解除指示オブジェクトを指定するユーザ操作を前記受付処理で受け付けたことに応じて、指定された前記解除指示オブジェクトに対応付けられた前記第２オブジェクトを非表示にする前記第２非表示処理を前記情報処理端末に実行させるプログラム。
【請求項２】
該プログラムは、前記追加表示処理において、前記選択処理で前記選択状態にした前記第１オブジェクトに対応付けられた前記第２オブジェクトを、前記第２領域に既に表示されている前記第２オブジェクトの最後に配置する請求項１に記載のプログラム。
【請求項３】
前記第２領域は、プレビュー指示オブジェクトを含み、
該プログラムは、前記プレビュー指示オブジェクトを指定するユーザ操作を前記受付処理で受け付けたことに応じて、プレビュー画像の一覧及び出力指示オブジェクトを含む第２画面を前記表示部に表示させる第２表示処理を前記情報処理端末に実行させ、前記プレビュー画像は、前記選択状態の前記第１オブジェクトに対応付けられた前記画像データに対して前記出力動作を実行した結果を示す画像であり、
該プログラムは、前記出力指示オブジェクトを指定するユーザ操作を前記受付処理で受け付けたことに応じて、前記出力指示処理を前記情報処理端末に実行させる請求項１又は２に記載のプログラム。
【請求項４】
前記第２オブジェクトは、対応する前記第１オブジェクトより大きい請求項１から３のいずれかに記載のプログラム。
【発明の詳細な説明】
【技術分野】
【０００１】
本発明は、ユーザが指定した画像データに対する出力動作を画像出力装置に実行させる情報処理端末に搭載されるプログラムに関する。
【背景技術】
【０００２】
特許文献１に記載の情報処理装置は、図２２に示されるように、デジタルカメラをシステムオブジェクトとして表示する第１の領域と、選択されたシステムオブジェクトに対応したサムネイル画像を表示する第２の領域とを含むエクスプローラユーザインタフェースを表示部に表示させることができる。また、特許文献１に記載の情報処理装置は、図３５に示されるダイアログを通じて、印刷する写真の範囲をユーザに指定させることができる。そして、特許文献１に記載の情報処理装置は、ユーザが指定した範囲の画像データをデジタルカメラから取得し、当該画像データで示される写真をプリンタに印刷させることができる。
【先行技術文献】
【特許文献】
【０００３】
【特許文献１】特開２００９−１１２０１９号公報
【発明の概要】
【発明が解決しようとする課題】
【０００４】
しかしながら、特許文献１の図２２に示される多数のサムネイル画像の中から目的の写真を見つけ出し、見つけ出した写真の範囲を図３５に示されるダイアログを通じて指定することは、ユーザにとって容易ではない。そして、目的の写真が指定されていない状態で或いは目的の写真と異なる写真が指定された状態でプリンタに印刷を実行させると、印刷結果が無駄になるという課題がある。
【０００５】
本発明は、上記の事情に鑑みてなされたものであり、その目的は、複数の画像データのうちから出力動作の対象となる画像データを選択しやすいユーザインタフェースを備えるプログラムを提供することを目的とする。
【課題を解決するための手段】
【０００６】
本明細書の一形態に係るプログラムは、通信部と、表示画面を有する表示部と、操作部とを備える情報処理端末によって読み取り可能である。前記通信部は、画像データに対する出力動作を実行する画像出力装置と通信可能である。該プログラムは、第１画面を前記表示部に表示させる第１表示処理を前記情報処理端末に実行させる。前記第１画面は、各々が前記画像データに対応付けられた複数の第１オブジェクトを一覧表示する第１領域と、前記第１オブジェクトのうち、選択状態の前記第１オブジェクトに対応付けられた第２オブジェクトを一覧表示する第２領域とに区画されている。前記第１オブジェクトは、対応する前記画像データで示される画像の一部を強調したオブジェクトである。前記第２オブジェクトは、対応する前記第１オブジェクトに対応付けられた前記画像データで示される画像の全体を示すオブジェクトである。該プログラムは、画面に対するユーザ操作を前記操作部を通じて受け付ける受付処理と、非選択状態の前記第１オブジェクトを指定するユーザ操作を前記受付処理で受け付けたことに応じて、指定された前記第１オブジェクトを前記選択状態にする選択処理と、前記選択処理で前記選択状態にした前記第１オブジェクトに対応付けられた前記第２オブジェクトを、前記第２領域に追加表示する追加表示処理と、前記選択状態の前記第１オブジェクトを指定するユーザ操作を前記受付処理で受け付けたことに応じて、指定された前記第１オブジェクトを前記非選択状態にする選択解除処理と、前記選択解除処理で前記非選択状態にした前記第１オブジェクトに対応付けられた前記第２オブジェクトを、非表示にする非表示処理と、前記出力動作の実行を指示するユーザ操作を前記受付処理で受け付けたことに応じて、前記通信部を通じて前記画像出力装置に出力指示情報を送信する出力指示処理とを前記情報処理端末に実行させる。前記出力指示情報は、前記選択状態の前記第１オブジェクトに対応付けられた前記画像データに対する前記出力動作の実行を指示するための情報である。
【０００７】
上記構成によれば、出力動作の対象となり得る画像データに対応する第１オブジェクトが第１領域に一覧表示され、選択された第１オブジェクトに対応する第２オブジェクトのみが第２領域に一覧表示される。そして、一覧表示された第１オブジェクトのうちから、所望の画像を示す第１オブジェクトをユーザに指定させ、一覧表示された第２オブジェクトを通じて、不要な画像が選択されていないかをユーザに確認させることができる。さらに、不要な画像が選択されている場合に、選択済みの第１オブジェクトをユーザに再指定させることによって、当該第１オブジェクトに対応する画像データを出力動作の対象から外すことができる。その結果、ユーザが所望する画像データに対する出力動作を、画像出力装置に適切に指示することができる。
【０００８】
本明細書の他の形態に係るプログラムは、通信部と、表示画面を有する表示部と、操作部とを備える情報処理端末によって読み取り可能である。前記通信部は、画像データに対する出力動作を実行する画像出力装置と通信可能である。該プログラムは、第１画面を前記表示部に表示させる第１表示処理を前記情報処理端末に実行させる。前記第１画面は、各々が前記画像データに対応付けられた複数の第１オブジェクトを一覧表示する第１領域と、前記第１オブジェクトのうち、選択状態の前記第１オブジェクトに対応付けられた第２オブジェクトを一覧表示する第２領域とに区画されている。前記第１オブジェクトは、対応する前記画像データで示される画像を示すオブジェクトである。前記第２オブジェクトは、対応する前記第１オブジェクトに対応付けられた前記画像データで示される画像の全体を、前記第１オブジェクトと異なる態様で示すオブジェクトである。該プログラムは、画面に対するユーザ操作を前記操作部を通じて受け付ける受付処理と、非選択状態の前記第１オブジェクトを指定するユーザ操作を前記受付処理で受け付けたことに応じて、指定された前記第１オブジェクトを前記選択状態にする選択処理と、前記選択処理で前記選択状態にした前記第１オブジェクトに対応付けられた前記第２オブジェクトを、前記第２領域に追加表示する追加表示処理と、前記選択状態の前記第１オブジェクトを指定するユーザ操作を前記受付処理で受け付けたことに応じて、指定された前記第１オブジェクトを前記非選択状態にする第１選択解除処理と、前記第１選択解除処理で前記非選択状態にした前記第１オブジェクトに対応付けられた前記第２オブジェクトを、非表示にする第１非表示処理と、前記第２オブジェクトを指定するユーザ操作を前記受付処理で受け付けたことに応じて、指定された前記第２オブジェクトを非表示にする第２非表示処理と、前記第２非表示処理で非表示にした前記第２オブジェクトに対応する前記第１オブジェクトを、前記非選択状態にする第２選択解除処理と、前記出力動作の実行を指示するユーザ操作を前記受付処理で受け付けたことに応じて、前記通信部を通じて前記画像出力装置に出力指示情報を送信する出力指示処理とを前記情報処理端末に実行させる。前記出力指示情報は、前記選択状態の前記第１オブジェクトに対応付けられた前記画像データに対する前記出力動作の実行を指示するための情報である。
【０００９】
上記構成によれば、出力動作の対象となり得る画像データに対応する第１オブジェクトが第１領域に一覧表示され、選択された第１オブジェクトに対応する第２オブジェクトのみが第２領域に一覧表示される。そして、一覧表示された第１オブジェクトのうちから、所望の画像を示す第１オブジェクトをユーザに指定させ、一覧表示された第２オブジェクトを通じて、不要な画像が選択されていないかをユーザに確認させることができる。さらに、不要な画像が選択されている場合に、選択済みの第１オブジェクトをユーザに再指定させるか、第２オブジェクトをユーザに指定させることによって、当該オブジェクトに対応付けられた画像データを出力動作の対象から外すことができる。その結果、ユーザが所望する画像データに対する出力動作を、画像出力装置に適切に指示することができる。
【００１０】
本明細書の他の形態に係るプログラムは、通信部と、表示画面を有する表示部と、操作部とを備える情報処理端末によって読み取り可能である。前記通信部は、画像データに対する出力動作を実行する画像出力装置と通信可能である。該プログラムは、第１画面を前記表示部に表示させる第１表示処理を前記情報処理端末に実行させる。前記第１画面は、各々が前記画像データに対応付けられた複数の第１オブジェクトを一覧表示する第１領域と、前記第１オブジェクトのうち、選択状態の前記第１オブジェクトに対応付けられた第２オブジェクトを一覧表示する第２領域とに区画されている。前記第１オブジェクトは、対応する前記画像データで示される画像を示すオブジェクトである。前記第２オブジェクトは、対応する前記第１オブジェクトに対応付けられた前記画像データで示される画像の全体を、前記第１オブジェクトと異なる態様で示すオブジェクトである。前記第２領域は、隣接方向において前記第１領域と隣接し、且つ前記隣接方向のサイズが前記第１領域より大きい。該プログラムは、画面に対するユーザ操作を前記操作部を通じて受け付ける受付処理と、前記隣接方向における前記第１画面のサイズ変更を指示するユーザ操作を前記受付処理で受け付けたことに応じて、前記第１画面の前記隣接方向のサイズを変更し、且つ前記第２領域のサイズが前記第１領域より大きい状態が維持されるように、サイズ変更後の前記第１画面を前記第１領域及び前記第２領域に区画するサイズ変更処理と、非選択状態の前記第１オブジェクトを指定するユーザ操作を前記受付処理で受け付けたことに応じて、指定された前記第１オブジェクトを前記選択状態にする選択処理と、前記選択処理で前記選択状態にした前記第１オブジェクトに対応付けられた前記第２オブジェクトを、前記第２領域に追加表示する追加表示処理と、前記選択状態の前記第１オブジェクトを指定するユーザ操作を前記受付処理で受け付けたことに応じて、指定された前記第１オブジェクトを前記非選択状態にする選択解除処理と、前記選択解除処理で前記非選択状態にした前記第１オブジェクトに対応付けられた前記第２オブジェクトを、非表示にする非表示処理と、前記出力動作の実行を指示するユーザ操作を前記受付処理で受け付けたことに応じて、前記通信部を通じて前記画像出力装置に出力指示情報を送信する出力指示処理とを前記情報処理端末に実行させる。前記出力指示情報は、前記選択状態の前記第１オブジェクトに対応付けられた前記画像データに対する前記出力動作の実行を指示するための情報である。
【００１１】
上記構成によれば、第１画面の隣接方向のサイズが変更されても第２領域が第１領域より大きい状態が維持されるので、一覧表示された第２オブジェクトの視認性の低下が低減される。その結果、ユーザが所望する画像データに対する出力動作を、画像出力装置に適切に指示することができる。
【００１２】
本明細書の他の形態に係るプログラムは、通信部と、表示画面を有する表示部と、操作部とを備える情報処理端末によって読み取り可能である。前記通信部は、画像データに対する出力動作を実行する画像出力装置と通信可能である。該プログラムは、各々が前記画像データに対応付けられた複数の第１オブジェクトを前記表示部に一覧表示させる第１一覧表示処理を前記情報処理端末に実行させる。前記第１オブジェクトは、対応する前記画像データで示される画像の一部を強調したオブジェクトである。該プログラムは、画面に対するユーザ操作を前記操作部を通じて受け付ける受付処理と、非選択状態の前記第１オブジェクトを指定するユーザ操作を前記受付処理で受け付けたことに応じて、指定された前記第１オブジェクトを前記選択状態にする選択処理と、前記選択状態の前記第１オブジェクトを指定するユーザ操作を前記受付処理で受け付けたことに応じて、指定された前記第１オブジェクトを前記非選択状態にする選択解除処理と、各々が前記選択状態の前記第１オブジェクトに対応付けられた複数の第２オブジェクトを前記表示部に一覧表示させる第２一覧表示処理とを前記情報処理端末に実行させる。前記第２オブジェクトは、対応する前記第１オブジェクトに対応付けられた前記画像データで示される画像の全体を示すオブジェクトである。該プログラムは、前記出力動作の実行を指示するユーザ操作を前記受付処理で受け付けたことに応じて、前記通信部を通じて前記画像出力装置に出力指示情報を送信する出力指示処理を前記情報処理端末に実行させる。前記出力指示情報は、前記選択状態の前記第１オブジェクトに対応付けられた前記画像データに対する前記出力動作の実行を指示するための情報である。
【００１３】
本明細書の他の形態に係るプログラムは、通信部と、表示画面を有する表示部と、操作部とを備える情報処理端末によって読み取り可能である。前記通信部は、画像データに対する出力動作を実行する画像出力装置と通信可能である。該プログラムは、第１画面を前記表示部に表示させる第１表示処理を前記情報処理端末に実行させる。前記第１画面は、プレビュー指示オブジェクトを含み、且つ各々が前記画像データに対応付けられた複数の第１オブジェクトを一覧表示する第１領域と、前記第１オブジェクトのうち、選択状態の前記第１オブジェクトに対応付けられた第２オブジェクトを一覧表示する第２領域とに区画されている。前記第１オブジェクトは、対応する前記画像データで示される画像の一部を示すオブジェクトである。前記第２オブジェクトは、対応する前記第１オブジェクトに対応付けられた前記画像データで示される画像の全体を示すオブジェクトである。該プログラムは、画面に対するユーザ操作を前記操作部を通じて受け付ける受付処理と、非選択状態の前記第１オブジェクトを指定するユーザ操作を前記受付処理で受け付けたことに応じて、指定された前記第１オブジェクトを前記選択状態にする選択処理と、前記選択処理で前記選択状態にした前記第１オブジェクトに対応付けられた前記第２オブジェクトを、前記第２領域に追加表示する追加表示処理と、前記選択状態の前記第１オブジェクトを指定するユーザ操作を前記受付処理で受け付けたことに応じて、指定された前記第１オブジェクトを前記非選択状態にする選択解除処理と、前記選択解除処理で前記非選択状態にした前記第１オブジェクトに対応付けられた前記第２オブジェクトを、非表示にする非表示処理と、前記プレビュー指示オブジェクトを指定するユーザ操作を前記受付処理で受け付けたことに応じて、プレビュー画像の一覧及び出力指示オブジェクトを含む第２画面を前記表示部に表示させる第２表示処理とを前記情報処理端末に実行させる。前記プレビュー画像は、前記選択状態の前記第１オブジェクトに対応付けられた前記画像データで示される長方形の画像を、前記出力動作によって長方形のシートに記録した状態を示し、且つ前記長方形の画像及び前記シートを示す画像の長手方向が一致するように、前記長方形の画像が回転されて前記シートに示す画像に重ねられている。該プログラムは、前記出力指示オブジェクトを指定するユーザ操作を前記受付処理で受け付けたことに応じて、前記通信部を通じて前記画像出力装置に出力指示情報を送信する出力指示処理を前記情報処理端末に実行させる。前記出力指示情報は、前記選択状態の前記第１オブジェクトに対応付けられた前記画像データに対する前記出力動作の実行を指示するための情報である。
【００１４】
上記構成によれば、出力動作の対象となり得る画像データに対応する第１オブジェクトが第１領域に一覧表示され、選択された第１オブジェクトに対応する第２オブジェクトのみが第２領域に一覧表示される。そして、一覧表示された第１オブジェクトのうちから、所望の画像を示す第１オブジェクトをユーザに指定させ、一覧表示された第２オブジェクトを通じて、不要な画像が選択されていないかをユーザに確認させることができる。さらに、不要な画像が選択されている場合に、選択済みの第１オブジェクトをユーザに再指定させることによって、当該第１オブジェクトに対応する画像データを出力動作の対象から外すことができる。
【００１５】
そして、プレビュー指示オブジェクトが指定されたことに応じて第２画面を表示させ、出力動作が実行された結果のイメージをプレビュー画像によってユーザに確認させてから、画像出力装置に実際に出力動作を実行させることができる。その結果、ユーザが所望する画像データに対する出力動作を、画像出力装置に適切に指示することができる。
【図面の簡単な説明】
【００１６】
【図１】図１は、実施形態に係るシステム１００の概略構成図である。
【図２】図２は、データ記憶領域６２Ｂの記憶されたデータ例であって、（Ａ）は“マイピクチャ”フォルダに記憶された画像データを、（Ｂ）は装置レコードを示す。
【図３】図３は、プリント処理のフローチャートである。
【図４】図４は、（Ａ）が選択エリア操作処理のフローチャートを、（Ｂ）がプールエリア操作処理のフローチャートを示す。
【図５】図５は、ウィンドウ操作処理のフローチャートである。
【図６】図６は、プレビュー表示処理のフローチャートである。
【図７】図７は、画像選択画面の表示例である。
【図８】図８は、図７の第１アイコン１２２、１２８、１２５がこの順に指定された場合の画像選択画面の表示例である。
【図９】図９は、図８の［×］アイコン１３９が指定された場合の画像選択画面の表示例である。
【図１０】図１０は、図９の画像選択画面のサイズを変更した後の表示例である。
【図１１】図１１は、プレビュー画面の表示例である。
【発明を実施するための形態】
【００１７】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。
【００１８】
図１は、本実施形態におけるシステム１００の概略図である。図１に示されるシステム１００は、複合機１０と、情報処理端末５０とで構成されている。複合機１０及び情報処理端末５０は、通信ネットワーク１０１を通じて通信可能に構成されている。通信ネットワーク１０１は、例えば、有線ＬＡＮ（Ｌｏｃａｌ  Ａｒｅａ  Ｎｅｔｗｏｒｋの略）、無線ＬＡＮ、或いはこれらの組み合わせであってもよい。または、複合機１０及び情報処理端末５０は、ＵＳＢ（Ｕｎｉｖｅｒｓａｌ  Ｓｅｒｉａｌ  Ｂｕｓの略）ケーブル等によって接続されていてもよい。
【００１９】
［複合機１０］
複合機１０は、図１に示されるように、プリンタ部１１と、スキャナ部１２と、ＦＡＸ部１３と、表示部２３と、操作部２４と、通信部２５と、ＣＰＵ（Ｃｅｎｔｒａｌ  Ｐｒｏｃｅｓｓｉｎｇ  Ｕｎｉｔの略）３１と、記憶部３２と、通信バス３３とを主に備える。複合機１０を構成する各構成要素は、通信バス３３を通じて相互に接続されている。複合機１０は、画像出力装置の一例である。
【００２０】
［プリンタ部１１、スキャナ部１２、ＦＡＸ部１３］
プリンタ部１１は、画像データで示される画像を記録用紙に記録するプリント動作を実行する。記録用紙は、シート或いは被記録媒体の一例である。プリンタ部１１の記録方式として、インクジェット方式や電子写真方式などの公知の方式を採用することができる。より詳細には、本実施形態に係るプリンタ部１１は、記録用紙を収容するトレイと、トレイに収容された記録用紙を搬送する搬送部と、搬送部によって搬送された記録用紙に画像を記録する記録部とを備える。
【００２１】
スキャナ部１２は、原稿に記録されている画像を読み取って画像データを生成するスキャン動作を実行する。ＦＡＸ部１３は、ＦＡＸプロトコルに準拠した方式で画像データを送受信するＦＡＸ送信動作及びＦＡＸ受信動作を実行する。また、複合機１０は、スキャン動作で生成した画像データをプリント動作で記録用紙に記録するコピー動作等を実行してもよい。プリント動作及びＦＡＸ送信動作は、出力動作の一例である。
【００２２】
［表示部２３］
表示部２３は、各種情報を表示する表示画面を備える。表示部２３としては、液晶ディスプレイ（Ｌｉｑｕｉｄ  Ｃｒｙｓｔａｌ  Ｄｉｓｐｌａｙの略）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙの略）等を採用することができる。
【００２３】
［操作部２４］
操作部２４は、表示部２３の表示画面に表示されたオブジェクトを指定するユーザの操作を受け付ける。具体的には、操作部２４はボタンを有しており、押下されたボタンに対応づけられた各種の操作信号をＣＰＵ３１へ出力する。さらに、操作部２４は、表示部２３の表示画面に重畳された膜状のタッチセンサを有していてもよい。すなわち、表示部２３がタッチパネルディスプレイとして構成されてもよい。
【００２４】
なお、「オブジェクト」とは、ユーザが操作部２４を操作することによって指定可能な画像を指す。一例として、オブジェクトは表示部２３に表示された文字列であって、操作部２４の方向キーを押下することによってオブジェクトの１つがハイライト表示され、操作部２４の決定ボタンを押下することによってハイライト表示されたオブジェクトが指定されてもよい。他の例として、操作部２４がタッチパネルである場合のオブジェクトは表示部２３に表示されたアイコン、ラジオボタン、チェックボックス、プルダウンメニュー、リンク等であって、タッチ位置に表示されたオブジェクトが指定されてもよい。
【００２５】
タッチパネルとして実現される操作部２４は、表示部２３の表示画面をタッチするユーザ操作を受け付ける。また、操作部２４は、ユーザがタッチした表示画面上の位置を示す位置情報を出力する。位置情報は、例えば、表示画面の左上端を原点とし、右向きをｘ軸の正の向き、下向きをｙ軸の正の向きとしたｘ−ｙ平面上の座標（ｘ，ｙ）として表現できる。タッチセンサには、静電容量方式、抵抗膜方式等の周知の方式を採用することができる。
【００２６】
なお、本明細書中における「タッチ」とは、入力媒体を表示画面に接触させる操作全般を含む。すなわち、タッチした入力媒体を所定時間内に表示画面から離間させるタップ操作、タッチした入力媒体を表示画面上で静止させるロングタッチ操作、タッチした入力媒体を表示画面上でスライドさせるスライド操作、表示画面上をスライドする入力媒体の加速度が閾値以上であるフリック操作、表示画面上の異なる位置にタッチした２つの入力媒体を互いに近づける向きにスライドさせるピンチイン操作、表示画面上の異なる位置にタッチした２つの入力媒体を互いに離れる向きにスライドさせるピンチアウト操作等は、タッチの一例である。
【００２７】
また、入力媒体が表示画面に触れていなくても、表示画面との間の距離がごく僅かな位置まで入力媒体を近接させることを、前述の「タッチ」の概念に含めてもよい。さらに入力媒体とは、ユーザの指であってもよいし、タッチペン等であってもよい。以下、表示部５３に表示されたアイコンの位置のタップを、当該アイコンを指定するユーザ操作の一例として説明する。
【００２８】
［通信部２５］
通信部２５は、通信ネットワーク１０１を通じて外部装置と通信を行うためのインタフェースである。すなわち、複合機１０は、通信部２５を通じて情報処理端末５０に各種データ又は各種情報を出力し、通信部２５を通じて情報処理端末５０から各種データ又は各種情報を受信する。通信部２５の具体的な通信手順は特に限定されないが、例えば、Ｗｉ−Ｆｉ（Ｗｉ−Ｆｉ  Ａｌｌｉａｎｃｅの登録商標）を採用することができる。また、複合機１０及び情報処理端末がＵＳＢケーブル等で接続される場合、通信部２５は、ＵＳＢケーブルを着脱可能なＵＳＢインタフェースであってもよい。
【００２９】
［ＣＰＵ３１］
ＣＰＵ３１は、複合機１０の全体動作を制御するものである。ＣＰＵ３１は、操作部２４から出力される各種情報、及び通信部２５を通じて外部装置から取得した各種情報等に基づいて、後述する各種プログラムを記憶部３２から取得して実行する。すなわち、ＣＰＵ３１及び記憶部３２は、制御部の一例を構成する。
【００３０】
［記憶部３２］
記憶部３２は、プログラム記憶領域３２Ａと、データ記憶領域３２Ｂとを有する。プログラム記憶領域３２Ａには、ＯＳ（Ｏｐｅｒａｔｉｎｇ  Ｓｙｓｔｅｍの略）３４と、装置プログラム３５とが格納される。なお、装置プログラム３５は、単一のプログラムであってもよいし、複数のプログラムの集合体であってもよい。データ記憶領域３２Ｂには、装置プログラム３５の実行に必要なデータ或いは情報が記憶される。
【００３１】
なお、本明細書中の「データ」と「情報」とは、コンピュータによって取り扱い可能なビット或いはビット列である点において共通する。「データ」とは、各ビットが示す意味内容をコンピュータが考慮することなく取り扱えるものを指す。これに対して、「情報」とは、各ビットが示す意味内容によってコンピュータの動作が分岐するものを指す。さらに、「指示」は、送信先の装置に対して次の動作を促すための制御信号であって、情報を含んでいることもあるし、それ自体が情報としての性質を有していることもある。
【００３２】
また、「データ」及び「情報」は、形式（例えば、テキスト形式、バイナリ形式、フラグ形式等）がコンピュータ毎に変更されたとしても、同一の意味内容と認識される限り、同一のデータ及び情報として取り扱われる。例えば、「２つ」であることを示す情報が、あるコンピュータではＡＳＣＩＩコードで”０ｘ３２“というテキスト形式の情報として保持され、別のコンピュータでは二進数表記で”１０“というバイナリ形式の情報として保持されてもよい。
【００３３】
但し、上記の「データ」及び「情報」の区別は厳密なものではなく、例外的な取り扱いも許容される。例えば、データが一時的に情報として扱われてもよいし、情報が一時的にデータとして扱われてもよい。また、ある装置ではデータとして扱われるものが、他の装置では情報として扱われてもよい。さらには、データの中から情報が取り出されてもよいし、情報の中からデータが取り出されてもよい。
【００３４】
記憶部３２は、例えば、ＲＡＭ（Ｒａｎｄｏｍ  Ａｃｃｅｓｓ  Ｍｅｍｏｒｙの略）、ＲＯＭ（Ｒｅａｄ  Ｏｎｌｙ  Ｍｅｍｏｒｙの略）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙの略）、ＨＤＤ（Ｈａｒｄ  Ｄｉｓｋ  Ｄｒｉｖｅの略）、ＣＰＵ３１が備えるバッファ等、或いはそれらの組み合わせによって構成される。
【００３５】
なお、記憶部３２は、コンピュータが読み取り可能なストレージ媒体であってもよい。コンピュータが読み取り可能なストレージ媒体とは、ｎｏｎ−ｔｒａｎｓｉｔｏｒｙな媒体である。ｎｏｎ−ｔｒａｎｓｉｔｏｒｙな媒体には、上記の例の他に、ＣＤ−ＲＯＭ、ＤＶＤ−ＲＯＭ等の記録媒体も含まれる。また、ｎｏｎ−ｔｒａｎｓｉｔｏｒｙな媒体は、ｔａｎｇｉｂｌｅな媒体でもある。一方、インターネット上のサーバなどからダウンロードされるプログラムを搬送する電気信号は、コンピュータが読み取り可能な媒体の一種であるコンピュータが読み取り可能な信号媒体であるが、ｎｏｎ−ｔｒａｎｓｉｔｏｒｙなコンピュータが読み取り可能なストレージ媒体には含まれない。
【００３６】
プログラム記憶領域３２Ａに記憶されているプログラムは、ＣＰＵ３１によって実行される。しかしながら、本明細書では、ＣＰＵ３１を省略して各プログラムの動作を説明することがある。すなわち、以下の説明において、「プログラムＡが処理Ａを実行する」という趣旨の記述は、「ＣＰＵ３１がプログラムＡに記述された処理Ａを実行する」ことを指してもよい。後述する情報処理端末５０についても同様である。
【００３７】
また、プログラム記憶領域３２Ａに記憶されているプログラムは、事象を判断し、判断結果に応じて動作する。しかしながら、本明細書では、判断することを省略して各プログラムの動作を説明することがある。すなわち、以下の説明において、「プログラムが条件Ａに応じて、処理Ａを実行する」という趣旨の記述は、「プログラムは条件Ａであるか否かを判断する。プログラムは、肯定判断であることに応じて、処理Ａを実行する」ことを指してもよい。後述する情報処理端末５０についても同様である。
【００３８】
また、プログラム記憶領域３２Ａに記憶されているプログラムは、データ等を特定し、取得し、抽出し、或いは選択する。プログラムがデータ等を特定するとは、例えば、複数のデータ等のうちから条件に合致するデータを特定し、当該データ等そのもの或いは当該データ等を識別するための情報を、予め定められた記憶領域に記憶させる処理を指す。データ等を識別するための情報とは、例えば、当該データ等を識別するための識別情報、当該データ等が記憶された配列のインデックス、当該データ等が記憶された記憶領域のポインタ等である。プログラムがデータ等を取得し、抽出し、或いは選択する処理も同様である。後述する情報処理端末５０についても同様である。
【００３９】
ＯＳ３４は、複合機１０を構成するハードウェアであるプリンタ部１１、スキャナ部１２、ＦＡＸ部１３、表示部２３、操作部２４、及び通信部２５等を制御するためのＡＰＩ（Ａｐｐｌｉｃａｔｉｏｎ  Ｐｒｏｇｒａｍｍｉｎｇ  Ｉｎｔｅｒｆａｃｅの略）を提供する基本プログラムである。すなわち、上記の各プログラムは、ＯＳ３４が提供するＡＰＩを呼び出すことによって、各ハードウェアを制御する。しかしながら、本明細書では、ＯＳ３４を省略して各プログラムの動作を説明することがある。すなわち、以下の説明において、「プログラムＢがハードウェアＣを制御する」という趣旨の記述は、「プログラムＢがＯＳ３４のＡＰＩを通じてハードウェアＣを制御する」ことを指してもよい。後述する情報処理端末５０についても同様である。
【００４０】
［情報処理端末５０］
情報処理端末５０は、図１に示されるように、表示部５３と、操作部５４と、通信部５５と、ＣＰＵ６１と、記憶部６２と、通信バス６３とを主に備える。情報処理端末５０に含まれる表示部５３、操作部５４、通信部５５、ＣＰＵ６１、記憶部６２、及び通信バス６３は、複合機１０に含まれる表示部２３、操作部２４、通信部２５、ＣＰＵ３１、記憶部３２、及び通信バス３３と基本的な構成が共通するので、説明は省略する。ＣＰＵ６１及び記憶部６２は、制御部の一例である。情報処理端末５０は、例えば、携帯電話、スマートフォン、タブレット端末、或いはＰＣ（Ｐｅｒｓｏｎａｌ  Ｃｏｍｐｕｔｅｒの略）等である。
【００４１】
情報処理端末５０の操作部５４は、例えば、後述するポインタ画像１１０の移動を指示する移動操作と、後述するアイコンを指定する指定操作とを受け付ける。操作部５４は、所謂マウス、トラックボール、マウスパッド等と呼ばれるものである。移動操作とは、例えば、マウスの移動、トラックボールの回転、マウスパッド上における指のスライド等が該当する。指定操作とは、例えば、ポインタ画像１１０がアイコン上に重ねられた状態で、操作部５４に設けられたボタンの押下（以下、「クリック」と表記する。）すること等が該当する。アイコンの位置にポインタ画像１１０を移動させ且つ操作部５４のボタンをクリックする操作は、当該アイコンを指定するユーザ操作の一例である。
【００４２】
但し、操作部５４は、複合機１０の操作部２４と同様に、表示部５３の表示画面に重畳されたタッチセンサであってもよい。そして、操作部５４は、表示部５３に表示されたアイコンの位置をタッチする操作を、指定操作として受け付けてもよい。この場合、後述するステップＳ４２の処理が省略されてもよい。また、後述するステップＳ４３、Ｓ４４の処理は、第２アイコンの位置をタッチするユーザ操作を操作部５４を通じて受け付けたことに応じて実行されてもよいし、省略されてもよい。
【００４３】
情報処理端末５０のＯＳ６４は、操作部５４を通じて移動操作を受け付けたことに応じて、当該移動操作に連動してポインタ画像１１０を表示画面上で移動させる。また、ＯＳ６４は、移動後のポインタ画像１１０の位置を示す操作情報を、後述するアクティブなプログラムに出力する。さらに、ＯＳ６４は、操作部５４を通じて指定操作を受け付けたことに応じて、当該指定操作を受け付けたときのポインタ画像１１０の位置を示す操作情報を、アクティブなプログラムに出力する。
【００４４】
また、ＯＳ６４は、複数の画面（以下、「ウィンドウ」と表記することがある。）を、表示部５３に並べて或いは重ねて表示可能なマルチウィンドウ機能を備えている。ＯＳ６４は、表示部５３に表示される複数のウィンドウの１つをアクティブにし、その他のウィンドウを非アクティブにする。すなわち、「アクティブ」とは、例えば、当該ウィンドウを表示させているプログラムがＯＳ６４から出力された操作情報を取得できる状態を指す。一方、「非アクティブ」とは、例えば、当該ウィンドウを表示させているプログラムがＯＳ６４から出力された操作情報を取得できない状態を指す。
【００４５】
情報処理端末５０のデータ記憶領域６２Ｂは、図２（Ａ）に示されるように、データＩＤと、データＩＤに対応付けられた画像データとを記憶している。データＩＤは、対応する画像データを識別するデータ識別情報（例えば、ファイルパス名）の一例である。また、画像データには、当該画像データの生成日時を示す日時情報等が対応付けられていてもよい。図２（Ａ）は、データ記憶領域６２Ｂに含まれる“マイピクチャ”フォルダに記憶された画像データを示している。なお、データ記憶領域６２Ｂは、複数のフォルダ（例えば、“デスクトップ”フォルダ等）を含むことができる。
【００４６】
マイピクチャに記憶された画像データは、図２（Ａ）に示されるように、上下方向の辺の長さと、左右方向の辺の長さとが互いに異なる長方形の画像を示す。本実施形態において、“写真００１”、“写真００３”、“写真００４”、“写真００５”、“写真００６”、“写真００８”で識別される画像データは、左右方向の辺が上下方向の辺より長い（以下、「横長」と表記する。）長方形の画像を示す。また、“写真００２”、“写真００７”で識別される画像データは、上下方向の辺が左右方向の辺より長い（以下、「縦長」と表記する。）長方形の画像を示す。
【００４７】
また、データ記憶領域６２Ｂは、図２（Ｂ）に示されるように、装置ＩＤと、条件情報と、方向情報とを記憶する。以下、図２（Ｂ）に示される情報を「装置レコード」と表記することがある。装置レコードは、例えば、後述する端末プログラム６５によってデータ記憶領域６２Ｂに記憶される。後述する端末プログラム６５は、例えば、装置ＩＤ、条件情報、及び方向情報を通信部５５を通じて複合機１０から受信し、受信した各情報を含む装置レコードをデータ記憶領域６２Ｂに記憶させる。より詳細には、端末プログラム６５は、例えば、複合機１０のＭＩＢ（Ｍａｎａｇｅｍｅｎｔ  Ｉｎｆｏｒｍａｔｉｏｎ  Ｂａｓｅの略）に記憶された各種情報を、ＳＮＭＰ（Ｓｉｍｐｌｅ  Ｎｅｔｗｏｒｋ  Ｍａｎａｇｅｍｅｎｔ  Ｐｒｏｔｏｃｏｌの略）を用いて受信すればよい。
【００４８】
装置ＩＤは、複合機１０を識別する装置識別情報の一例である。条件情報は、対応する装置ＩＤで識別される複合機１０が実行するプリント動作の実行条件を示す。より詳細には、条件情報は、例えば、記録用紙のサイズを示すサイズ情報（例えば、“Ａ４”，“Ｂ５”，“Ｌ版”等）と、記録用紙の外縁部に余白（以下、「縁」と表記する。）を設けるか否かを示す縁情報（例えば、“縁あり”，“縁無し”等）と、プリント動作で使用される色数を示す色情報（例えば、“カラー”，“モノクロ”等）とを含む。方向情報は、搬送部による記録用紙の搬送方向が、長方形の記録用紙の長辺及び短辺のどちらに一致するかを示す情報（例えば、“長辺”，“短辺”）である。
【００４９】
［システム１００の動作］
次に、図３〜図６を参照して、本実施形態に係るシステム１００の動作を説明する。本実施形態に係るシステム１００は、情報処理端末５０を通じてユーザに画像データを指定させ、指定された画像データに対するプリント動作を情報処理端末５０が複合機１０に実行させる。なお、複合機１０が実行する出力動作は、プリント動作に限定されず、ＦＡＸ送信動作等であってもよい。
【００５０】
情報処理端末５０の端末プログラム６５は、ＯＳ６４によって起動されたことに応じて、図３に示されるプリント処理を実行する。まず、端末プログラム６５は、デフォルトフォルダに記憶された画像データを読み出す（Ｓ１１）。本実施形態では、“マイピクチャ”フォルダをデフォルトフォルダとする。すなわち、端末プログラム６５は、最初に実行するステップＳ１１において、“写真００１”〜“写真００８”で識別される８個の画像データを、“マイピクチャ”フォルダから読み出す。
【００５１】
次に、端末プログラム６５は、ステップＳ１１で取得した画像データに対応する第１アイコンを生成する（Ｓ１２）。第１アイコンは、対応する画像データで示される画像の一部を強調した第１オブジェクトの一例である。より詳細には、第１アイコンは、対応する画像データで示される長方形の画像に含まれる正方形の領域を示す画像である。すなわち、第１アイコンで示される正方形の画像は、対応する画像データで示される長方形の画像より小さい。また、第１アイコンのサイズは、予め定められている。また、第１アイコンの形状は正方形に限定されず、円形等であってもよい。
【００５２】
なお、長方形の画像のどの領域を第１アイコンとして抽出するかは、特に限定されないが、例えば、長方形の画像の中央の領域が第１アイコンとして抽出されてもよいし、長方形の画像のうちの最もピントが合っている領域が第１アイコンとして抽出されてもよいし、長方形の画像のうちの顔を含む領域（以下、「顔領域」と表記する。）が第１アイコンとして抽出されてもよい。以下、顔領域を第１領域として抽出する処理を説明する。
【００５３】
端末プログラム６５は、例えば、周知の顔認識技術を用いて長方形の画像から顔領域を特定する。そして、端末プログラム６５は、１つの顔領域のみを特定したことに応じて、特定した顔領域を第１アイコンとして抽出する。一方、端末プログラム６５は、複数の顔領域を特定したことに応じて、複数の顔領域のうちの１つを第１アイコンとして抽出する。より詳細には、端末プログラム６５は、複数の顔領域のうち、最も大きい顔を含む顔領域を第１アイコンとして抽出してもよいし、最も手前の顔を含む顔領域を第１アイコンとして抽出してもよいし、周知の笑顔判定技術で算出される笑顔度が最も高い顔領域を第１アイコンとして抽出してもよい。
【００５４】
次に、端末プログラム６５は、画像選択画面を表示部５３に表示させる（Ｓ１３）。また、ＯＳ６４は、画像選択画面をアクティブにする。図７は、プリント処理において最初に表示される画像選択画面の一例である。画像選択画面は、プリント動作の対象となる画像データをユーザに選択させる第１画面の一例である。そして、端末プログラム６５は、画像選択画面に対するユーザ操作を操作部５４を通じて受け付ける（Ｓ１４）。ステップＳ１３の処理は第１表示処理の一例であり、ステップＳ１４の処理は受付処理の一例である。
【００５５】
図７に示される画像選択画面は、フォルダエリア１１１と、選択エリア１１２と、プールエリア１１３とに区画されている。フォルダエリア１１１と、選択エリア１１２と、プールエリア１１３とは、画像選択画面内において、左右方向に隣接して設けられている。本実施形態におけるプールエリア１１３の左右方向の幅Ａ３は、選択エリア１１２の左右方向の幅Ａ２より大きく設定されている。選択エリア１１２は第１領域の一例であり、プールエリア１１３は第２領域の一例である。左右方向は、隣接方向の一例である。
【００５６】
フォルダエリア１１１は、複数のフォルダアイコン１１５、１１６、１１７を含む。フォルダアイコン１１５〜１１７は、ステップＳ１１における画像データの取得元に対応付けられている。本実施形態では、フォルダアイコン１１５が“マイピクチャ”フォルダに対応付けられ、フォルダアイコン１１６が“デスクトップ”フォルダに対応付けられ、フォルダアイコン１１７が“クラウド”に対応付けられている。なお、選択中のフォルダアイコン１１５は、他のフォルダアイコン１１６、１１７と異なる態様でフォルダエリア１１１に表示されている。
【００５７】
選択エリア１１２には、ステップＳ１２で生成した複数の第１アイコン１２１、１２２、１２３、１２４、１２５、１２６、１２７、１２８が一覧表示される。選択エリア１１２における第１アイコン１２１〜１２８のレイアウトは、後述する図５のステップＳ５２〜Ｓ５７の処理によって決定される。図７に示される画像選択画面には、選択エリア１１２の第１段目に３つの第１アイコン１２１、１２２、１２３が、第２段目に３つの第１アイコン１２４、１２５、１２６が、第３段目に２つの第１アイコン１２７、１２８が、それぞれ左から右に配置される。第１アイコン１２１〜１２８の配列順序は、例えば、対応する画像データのデータＩＤの昇順或いは降順であってもよいし、対応する画像データの生成日時の昇順或いは降順であってもよい。
【００５８】
また、第１アイコン１２１〜１２８の左上端には、チェックボックスが付加されている。プリント処理において最初に表示される画像選択画面において、全ての第１アイコン１２１〜１２８に付加されたチェックボックスは、チェックされていない状態である。チェックされていないチェックボックスは、対応する第１アイコン１２１〜１２８が非選択状態であることを示す。また、非選択状態の第１アイコン１２１〜１２８は、対応する画像データがプリント動作の対象として選択されていないことを示す。
【００５９】
プールエリア１１３は、［プレビュー］アイコン１３０を含む。［プレビュー］アイコン１３０は、後述するプレビュー画面を表示させる指示に対応するプレビュー指示オブジェクトの一例である。なお、［プレビュー］アイコン１３０の表示位置は、プールエリア１１３に限定されず、画像選択画面の任意の位置であってもよい。また、プールエリア１１３は、後述する第２アイコンを含むことができる。但し、プリント処理において最初に表示される画像選択画面のプールエリア１１３には、図７に示されるように、第２アイコンが含まれない。
【００６０】
次に、端末プログラム６５は、例えばフォルダアイコン１１６の指定を操作部５４を通じて受け付けたことに応じて（Ｓ１４：フォルダアイコン）、“デスクトップ”フォルダに記憶された画像データを取得（Ｓ１１）し、取得した画像データに対応する第１アイコンを生成（Ｓ１２）し、生成した第１アイコンを含む画像選択画面を表示部５３に表示させる（Ｓ１３）。フォルダアイコン１１７が指定された場合も同様である。但し、端末プログラム６５は、フォルダアイコン１１７が指定された場合のステップＳ１１において、不図示のサーバから通信部５５を通じて画像データを受信する。
【００６１】
次に、端末プログラム６５は、例えば第１アイコン１２２の指定を操作部５４を通じて受け付けたことに応じて（Ｓ１４：その他＆Ｓ１７：Ｙｅｓ）、選択エリア操作処理を実行する（Ｓ１８）。選択エリア操作処理は、ポインタ画像１１０が選択エリア１１２内に配置された状態で、操作部５４を通じてユーザ操作を受け付けた場合に実行される。図４（Ａ）を参照して、選択エリア操作処理の詳細を説明する。
【００６２】
まず、端末プログラム６５は、非選択状態の第１アイコン１２２の指定を操作部５４を通じて受け付けたことに応じて（Ｓ３１：非選択）、指定された第１アイコン１２２を選択状態にする（Ｓ３２）。また、端末プログラム６５は、ステップＳ３２で選択状態にした第１アイコン１２２に対応する第２アイコン１３２をプールエリア１１３に追加する（Ｓ３３）。そして図３に戻って、端末プログラム６５は、選択状態の第１アイコン１２２が表示された選択エリア１１２と、第２アイコン１３２が表示されたプールエリア１１３とを含む画像選択画面を、表示部５３に表示させる（Ｓ１３）。ステップＳ３２の処理を実行した後のステップＳ１３の処理は選択処理の一例であり、ステップＳ３３の処理を実行した後のステップＳ１３の処理は追加表示処理の一例である。
【００６３】
図８は、第１アイコン１２２、１２８、１２５がこの順に指定された場合の画像選択画面の一例である。図８に示される第１アイコン１２２、１２５、１２８に付加されたチェックボックスには、チェックマーク“レ”が付加されている。チェックマーク“レ”は、対応する第１アイコン１２２、１２５、１２８が選択状態であることを示す選択状態画像の一例である。選択状態の第１アイコン１２２、１２５、１２８は、対応する画像データがプリント動作の対象として選択されていることを示す。
【００６４】
また、図８に示されるプールエリア１１３には、第２アイコン１３２、１３８、１３５が一覧表示されている。第２アイコン１３２、１３８、１３５は、選択状態の第１アイコン１２２、１２８、１２５に対応付けられた第２オブジェクトの一例である。第２アイコン１３２、１３８、１３５は、対応する第１アイコン１２２、１２８、１２５に対応付けられた画像データで示される画像を、第１アイコン１２２、１２８、１２５と異なる態様で示す。第２アイコン１３２、１３８、１３５は、対応する第１アイコン１２２、１２８、１２５より大きく設定されている。また、第２アイコン１３２、１３８、１３５は、対応する画像データで示される画像の全体を示す。さらに、第２アイコン１３２、１３８、１３５は、対応する画像データで示される画像と相似形状の長方形の画像である。
【００６５】
また、第２アイコン１３２、１３８、１３５は、対応する画像データで示される画像の上下方向と、表示画面の上下方向とが一致するように、プールエリア１１３に表示される。すなわち、第２アイコン１３２は縦長であり、第２アイコン１３８、１３５は横長である。なお、プールエリア１３３における第２アイコン１３２、１３８、１３５のレイアウトは、第１アイコンのレイアウトを決定する場合と同様に、図５のステップＳ５２〜Ｓ５７の処理によって決定される。
【００６６】
さらに、第２アイコン１３２、１３８、１３５は、対応する第１アイコン１２２、１２８、１２５が選択状態にされた順にプールエリア１３３に配列される。すなわち、端末プログラム６５は、直近の選択処理で選択状態にした第１アイコン１２５に対応付けられた第２アイコン１３５を、直近の選択処理の実行時点でプールエリア１１３に既に表示されている第２アイコン１３２、１３８の最後に配置する。本実施形態における「最後」とは、最も下の段で且つ最も右側の位置である。
【００６７】
次に、端末プログラム６５は、例えば図８に示される第１アイコン１２８の指定を操作部５４を通じて受け付けたことに応じて（Ｓ１４：その他＆Ｓ１７：Ｙｅｓ）、選択エリア操作処理を実行する（Ｓ１８）。すなわち、端末プログラム６５は、選択状態の第１アイコン１２８が指定されたことに応じて（Ｓ３１：選択済）、指定された第１アイコン１２８を非選択状態にする（Ｓ３４）。また、端末プログラム６５は、ステップＳ３４で非選択状態にした第１アイコン１２８に対応する第２アイコン１３８をプールエリア１１３から削除する（Ｓ３５）。
【００６８】
そして図３に戻って、端末プログラム６５は、非選択状態の第１アイコン１２８が表示された選択エリア１１２と、第２アイコン１３８が非表示にされたプールエリア１１３を含む画像選択画面を、表示部５３に表示させる（Ｓ１３）。図９は、図８の第１アイコン１２８が指定された場合の画像選択画面の一例である。図９に示される第１アイコン１２８に付加されたチェックボックスからは、チェックマーク“レ”が削除されている。また、図９に示されるプールエリア１１３から第２アイコン１３８が削除され、第２アイコン１３２、１３５のレイアウトが更新される。ステップＳ３４の処理を実行した後のステップＳ１３の処理は選択解除処理及び第１選択解除処理の一例であり、ステップＳ３５の処理を実行した後のステップＳ１３の処理は非表示処理及び第１非表示処理の一例である。
【００６９】
次に、端末プログラム６５は、例えば図８に示される第２アイコン１３８上にポインタ画像１１０が移動されたことに応じて（Ｓ１４：その他＆Ｓ１７：Ｎｏ＆Ｓ１９：Ｙｅｓ）、プールエリア操作処理を実行する（Ｓ２０）。プールエリア操作処理は、ポインタ画像１１０がプールエリア１１３内に配置された状態で、操作部５４を通じてユーザ操作を受け付けた場合に実行される。図４（Ｂ）を参照して、プールエリア操作処理の詳細を説明する。
【００７０】
まず、端末プログラム６５は、第２アイコン１３８上にポインタ画像１１０が位置することに応じて（Ｓ４１：マウスオーバ）、ポインタ画像１１０が位置する第２アイコン１３８の左上隅に［×］アイコン１３９を付加する（Ｓ４２）。一方、ポインタ画像１１０と異なる位置に配置された第２アイコン１３２、１３５には、［×］アイコン１３９が付加されない。すなわち、端末プログラム６５は、第２アイコン１３２、１３５と異なる位置にポインタ画像１１０が移動されたことに応じて、第２アイコン１３２、１３５から［×］アイコン１３９を削除する。
【００７１】
そして図３に戻って、端末プログラム６５は、図８に示されるように、第２アイコン１３８に［×］アイコン１３９が付加され、第２アイコン１３２、１３５に［×］アイコン１３９が付加されていない画像選択画面を、表示部５３に表示させる（Ｓ１３）。［×］アイコン１３９は、ポインタ画像１１０が位置する第２アイコン１３８に対応付けて表示される解除指示オブジェクトの一例である。ステップＳ４２の処理を実行した後のステップＳ１３の処理は、解除準備処理の一例である。
【００７２】
次に、端末プログラム６５は、例えば図８に示される［×］アイコン１３９の指定を操作部５４を通じて受け付けたことに応じて（Ｓ１４：その他＆Ｓ１７：Ｎｏ＆Ｓ１９：Ｙｅｓ）、プールエリア操作処理を実行する（Ｓ２０）。そして、端末プログラム６５は、第２アイコン１３８に対応付けられた［×］アイコン１３９の指定を受け付けたことに応じて（Ｓ４１：［×］アイコン）、［×］アイコン１３９に対応付けられた第２アイコン１３８をプールエリア１１３から削除する（Ｓ４３）。また、端末プログラム６５は、ステップＳ４３で削除した第２アイコン１３８に対応する第１アイコン１２８を非選択状態にする（Ｓ４４）。
【００７３】
そして図３に戻って、端末プログラム６５は、図９に示される画像選択画面を、表示部５３に表示させる（Ｓ１３）。図９に示される画像選択画面の詳細は既に説明したので、再度の説明は省略する。ステップＳ４３の処理を実行した後のステップＳ１３の処理は第２非表示処理の一例であり、ステップＳ３４の処理を実行した後のステップＳ１３の処理は第２選択解除処理の一例である。
【００７４】
次に、端末プログラム６５は、左右方向或いは上下方向における画像選択画面のサイズ変更を指示するユーザ操作を操作部５４を通じて受け付けたことに応じて（Ｓ１４：その他＆Ｓ１７：Ｎｏ＆Ｓ１９：Ｎｏ）、ウィンドウ枠操作処理を実行する（Ｓ２１）。ウィンドウ枠操作処理は、画面のサイズを変更する処理である。図５を参照して、ウィンドウ枠操作処理の詳細を説明する。
【００７５】
画像選択画面の右端或いは左端にポインタ画像１１０Ａを移動させて操作部５４のボタンをクリックし、クリックしたままポインタ画像１１０Ａを左右方向に移動させるユーザ操作は、画像選択画面の左右方向のサイズ変更を指示するユーザ操作の一例である。また、画像選択画面の上端或いは下端にポインタ画像１１０Ｂを移動させて操作部５４のボタンをクリックし、クリックしたままポインタ画像１１０Ｂを上下方向に移動させるユーザ操作は、画像選択画面の上下方向のサイズ変更を指示するユーザ操作の一例である。
【００７６】
まず、端末プログラム６５は、画像選択画面の左右方向のサイズを変更する指示を受け付けたことに応じて（Ｓ５１：左右方向）、画像選択画面の左右方向のサイズを変更する。サイズ変更量は、例えば、ポインタ画像１１０Ａの移動量に応じて大きくなる。次に、端末プログラム６５は、サイズ変更後の画像選択画面の左右方向の幅Ａを取得する（Ｓ５２）。そして、端末プログラム６５は、例えば、取得した幅Ａを以下の方法で分配することによって、各エリア１１１、１１２、１１３の左右方向の幅Ａ１、Ａ２、Ａ３を決定する（Ｓ５３）。すなわち、端末プログラム６５は、幅Ａの画像選択画面を、左右方向に隣接するエリア１１１、１１２、１１３に区画する。
【００７７】
本実施形態において、幅Ａ１は、予め定められている。すなわち、フォルダエリア１１１の幅Ａ１は、画像選択画面のサイズ変更の前後において変化しない。また、端末プログラム６５は、フォルダエリア１１１の幅Ａ１を除いた画像選択画面の残りの幅（Ａ−Ａ１）を、Ａ２：Ａ３の比率で選択エリア１１２及びプールエリア１１３に比例配分する。すなわち、選択エリア１１２及びプールエリア１１３の幅Ａ２、Ａ３の比率は、画像選択画面のサイズ変更の前後において変化しない。すなわち、端末プログラム６５は、幅Ａ３が幅Ａ２より大きくなるように、より詳細には、幅Ａ２及び幅Ａ３の比率が維持されるように、サイズ変更後の画像選択画面をエリア１１１、１１２、１１３に区画する。
【００７８】
次に、端末プログラム６５は、選択エリア１１２に一覧表示される第１アイコン１２１〜１２８のレイアウトを決定する（Ｓ５４）。より詳細には、第１アイコンの左右方向の幅をｗｋ、隣接する第１アイコンの左右方向の隙間をΔｗとしたときに、下記式１を満たす最大の整数Ｎを算出する。そして、端末プログラム６５は、選択エリア１１２内において、間隔Δｗを隔てて左右方向に配列されたＮ個の第１アイコンのセットを、上下方向に配列する。
【００７９】
【数１】
0006613794.tif 000002
【００８０】
次に、端末プログラム６５は、画像選択画面の上下方向の高さＢを取得する（Ｓ５５）。そして、端末プログラム６５は、上下方向に配列された全ての第１アイコンを表示可能か否かを判断する（Ｓ５６）。より詳細には、端末プログラム６５は、上下方向に配列される第１アイコンの数をＭ、第１アイコンの上下方向の高さをｘｋ、隣接する第１アイコンの上下方向の隙間をΔｘとしたときに、下記式２を満たすか否かを判断する。
【００８１】
【数２】
0006613794.tif 000003
【００８２】
そして、端末プログラム６５は、式２を満たすと判断したことに応じて（Ｓ５６：Ｙｅｓ）、図７に示されるように、第１アイコン１２１〜１２８を選択エリア１１２に一覧表示させる。一方、端末プログラム６５は、式２を満たさないと判断したことに応じて（Ｓ５６：Ｎｏ）、図１０に示されるように、第１アイコン１２１〜１２８の一部と、上下方向に延びるスクロールバー１４０とを選択エリア１１２に表示させる（Ｓ５７）。ステップＳ５２〜Ｓ５７の処理は、サイズ変更処理の一例である。
【００８３】
スクロールバー１４０は、上下方向に配列された複数の第１アイコンのうち、選択エリア１１２に表示させる領域を指示するユーザ操作を受け付けるスクロールオブジェクトの一例である。そして図示は省略するが、端末プログラム６５は、スクロールバー１４０の上下方向への移動を指示するユーザ操作を操作部５４を通じて受け付けたことに応じて、移動後のスクロールバー１４０の位置に応じた領域を選択エリア１１２に表示させる。
【００８４】
また、端末プログラム６５は、プールエリア１１３に一覧表示される第２アイコン１３２、１３５のレイアウトを、ステップＳ５４〜Ｓ５７の処理によって決定する。ここで、上記の式１には、プールエリア１１３の左右方向の幅Ａ３、第２アイコンの左右方向の幅ｙｋ、隣接する第２アイコンの左右方向の隙間Δｙが、Ａ１、ｗｎ、Δｗに代えて用いられる。また、式２には、第２アイコンの上下方向の高さｚｋ、隣接する第２アイコンの上下方向の隙間Δｚが、ｘｋ、Δｘに代えて用いられる。
【００８５】
図１０は、図９に示される画像選択画面の左右方向の幅が縮小された状態を示す図である。図１０に示される選択エリア１１２には、第１段目に２つの第１アイコン１２１、１２２が、第２段目に２つの第１アイコン１２３、１２４が、第３段目に２つの第１アイコン１２５、１２６が、第４段目に２つの第１アイコン１２７、１２８が、それぞれ左から右に配置される。また、図１０に示される選択エリア１１２には、第１段目〜第３段目の第１アイコン１２１〜１２６と、第４段目の第１アイコン１２７、１２８の上側の一部と、スクロールバー１４０とが表示される。そして、スクロールバー１４０が下方に移動されることによって、図１０に表示されていない第４段目の第１アイコン１２７、１２８の下側の一部が表示され、第１段目の第１アイコン１２１、１２２の上側の一部が代わりに非表示になる。さらに、図１０に示されるプールエリア１１３には、第２アイコン１３２、１３５が上下方向に一覧表示される。
【００８６】
一方、端末プログラム６５は、画像選択画面の上下方向のサイズを変更する指示を受け付けたことに応じて（Ｓ５１：上下方向）、画像選択画面の上下方向のサイズを変更する。サイズ変更量は、例えば、ポインタ画像１１０Ｂの移動量に応じて大きくなる。そして、端末プログラム６５は、ステップＳ５２〜Ｓ５４の処理をスキップして、ステップＳ５５以降の処理を実行する。なおステップＳ５５〜Ｓ５７の処理は既に説明したので、再度の説明は省略する。
【００８７】
図３に戻って、端末プログラム６５は、例えば図１０に示される［プレビュー］アイコン１３０の指定を操作部５４を通じて受け付けたことに応じて（Ｓ１４：プレビューアイコン）、プレビュー表示処理を実行する（Ｓ１５）。プレビュー表示処理は、プリント動作の対象となる画像をユーザに確認させる処理である。図６を参照して、プレビュー表示処理の詳細を説明する。
【００８８】
まず、端末プログラム６５は、データ記憶領域６２Ｂから装置レコードを読み出す（Ｓ６１）。ステップＳ６１の処理は、取得処理の一例である。また、端末プログラム６５は、プレビュー画像を生成する（Ｓ６２）。プレビュー画像は、選択状態の第１アイコン１２２、１２５に対応付けられた画像データに対するプリント動作を、ステップＳ６１で取得した実行条件に従って実行した結果を示す画像である。すなわち、ここで生成されるプレビュー画像データは、データＩＤ“写真００２”、“写真００５”で識別される画像データで示される画像を、Ａ４サイズの用紙に縁ありでモノクロ印刷したイメージ示す画像である。
【００８９】
次に、端末プログラム６５は、画像選択画面に代えてプレビュー画面を表示部５３に表示させる（Ｓ６３）。ＯＳ６４は、プレビュー画面をアクティブにする。図１１は、プレビュー画面の一例である。図１１に示されるプレビュー画面は、左右方向に隣接するプレビューエリア１４１と、設定エリア１４２とに区画されている。プレビュー画面は、選択された画像データに対するプリント動作の結果をユーザに確認させる第２画面の一例である。プレビューエリア１４１は第３領域の一例であり、設定エリア１４２は第４領域の一例である。そして、端末プログラム６５は、プレビュー画面に対するユーザ操作を操作部５４を通じて受け付ける（Ｓ６４）。ステップＳ６３の処理は第２表示処理の一例であり、ステップＳ６４の処理は受付処理の一例である。
【００９０】
プレビューエリア１４１は、ステップＳ６２で生成したプレビュー画像１４５、１４６を含む。プレビュー画像１４５は、データＩＤ“写真００２”で識別される画像データで示される指定画像１４５Ａと、記録用紙を示すシート画像１４５Ｂとを含む。プレビュー画像１４６は、データＩＤ“写真００５”で識別される画像データで示される指定画像１４６Ａと、シート画像１４６Ｂとを含む。
【００９１】
また、プレビュー画像１４５、１４６は、指定画像１４５Ａ、１４６Ａの長手方向と、シート画像１４５Ｂ、１４６Ｂの長手方向とが一致するように配置される。さらに、プレビュー画像１４５、１４６は、方向情報で示されるシート画像１４５Ｂ、１４６Ｂの辺と、表示画面の上下方向とが一致するように、プレビューエリア１４１に配置される。すなわち、本実施形態では、縦長のプレビュー画像１４５、１４６がプレビューエリア１４１に一覧表示され、且つ横長の指定画像１４６Ａが反時計回りに９０°回転されてシート画像１４６Ｂに重ねられる。
【００９２】
設定エリア１４２は、ステップＳ６１で取得した装置ＩＤ“ＭＦＰ−Ａ”と、条件アイコン１５１、１５２、１５３と、［プリント］アイコン１５４とを含む。条件アイコン１５１は、サイズ情報を変更する指示に対応する条件オブジェクトの一例である。条件アイコン１５２は、縁情報を変更する指示に対応する条件オブジェクトの一例である。条件アイコン１５３は、色情報を変更する指示に対応する条件オブジェクトの一例である。［プリント］アイコン１５４は、前記出力動作の実行指示に対応する出力指示オブジェクトの一例である。
【００９３】
次に、端末プログラム６５は、条件アイコン１５１の指定を操作部５４を通じて受け付けたことに応じて（Ｓ６４：設定エリア）、サイズ情報を変更する（Ｓ６５）。例えば、条件アイコン１５１が指定される度に、サイズ情報が“Ａ４”、“Ｂ５”、“Ｌ版”の順に変更される。条件アイコン１５２及び条件アイコン１５３が指定された場合にも同様である。そして、端末プログラム６５は、指定された条件アイコン１５１、１５２、１５３に従って、ステップＳ６１で取得した条件情報を更新する。さらに、端末プログラム６５は、指定された条件アイコン１５１、１５２、１５３に従って、データ記憶領域６２Ｂに記憶された装置レコードを更新してもよい。
【００９４】
そして、端末プログラム６５は、ステップＳ６５で更新した実行条件に従って新たにプレビュー画像１４５、１４６を生成する（Ｓ６２）。さらに、端末プログラム６５は、ステップＳ６２で新たに生成したプレビュー画像１４５、１４６を含むプレビュー画面を表示部５３に表示させる（Ｓ６３）。ステップＳ６５の処理を実行した後のステップＳ６２、Ｓ６３の処理は、更新処理の一例である。
【００９５】
次に、端末プログラム６５は、左右方向或いは上下方向におけるプレビュー画面のサイズ変更を指示するユーザ操作を操作部５４を通じて受け付けたことに応じて（Ｓ６４：ウィンドウ枠）、ウィンドウ枠操作処理を実行する（Ｓ６６）。ステップＳ６６の処理は、ステップＳ２１の処理と共通するので、再度の説明は省略する。そして、端末プログラム６５は、サイズ変更後のプレビュー画面を表示部５３に表示させる（Ｓ６３）。
【００９６】
なお、本実施形態において、設定エリア１４２の左右方向の幅Ｃ１は、予め定められている。すなわち、設定エリア１４２の幅Ｃ１は、プレビュー画面のサイズ変更の前後において変化しない。そして、プレビューエリア１４１の左右方向の幅Ｃ２は、プレビュー画面の左右方向幅Ｃから設定エリアの幅Ｃ１を減じたものになる。また、上記の式１には、プレビューエリア１４１の左右方向の幅Ｃ２、プレビュー画像の左右方向の幅ｓｋ、隣接するプレビュー画像の左右方向の隙間Δｓが、Ａ１、ｗｋ、Δｗに代えて用いられる。また、式２には、プレビュー画面の上下方向の高さＤ、プレビュー画像の上下方向の高さｔｋ、隣接するプレビュー画像の上下方向の隙間Δｔが、Ｂ、ｘｋ、Δｘに代えて用いられる。
【００９７】
次に、端末プログラム６５は、［プリント］アイコン１５４の指定を操作部５４を通じて受け付けたことに応じて（Ｓ６４：プリントアイコン）、ステップＳ６１で取得した装置ＩＤ“ＭＦＰ−Ａ”で識別される複合機１０に、通信部５５を通じてプリント指示情報を送信する（Ｓ１６）。プリント指示情報は、選択状態の第１アイコン１２２、１２５に対応付けられた画像データに対するプリント動作の実行を指示するための出力指示情報の一例である。ステップＳ１６の処理は、出力指示処理の一例である。
【００９８】
プリント指示情報は、データＩＤ“写真００２”、“写真００５”で識別される画像データと、ステップＳ６１で取得され且つステップＳ６５で更新された条件情報とを含む。また、サーバに記憶された画像データに対応付けられた第１アイコンが選択状態の場合、プリント指示情報は、画像データを識別するデータＩＤを、画像データに代えて含んでもよい。この場合のデータＩＤは、例えば、ＵＲＬ（Ｕｎｉｆｏｒｍ  Ｒｅｓｏｕｒｃｅ  Ｌｏｃａｔｏｒの略）形式であってもよい。
【００９９】
一方、図示は省略するが、複合機１０の装置プログラム３５は、通信部２５を通じて情報処理端末５０からプリント指示情報を受信する。そして、装置プログラム３５は、受信したプリント指示情報に従ったプリント動作をプリンタ部１１に実行させる。すなわち、プリンタ部１１は、プリント指示情報に含まれる画像データで示される画像を、プリント指示情報に含まれる条件情報で示される実行条件に従って記録用紙に記録する。また、プリント指示情報にデータＩＤが含まれる場合のプリンタ部１１は、当該データＩＤで識別される画像データを通信部２５を通じてサーバから受信し、当該画像データに対するプリント動作を実行する。
【０１００】
［実施形態の作用効果］
上記の実施形態によれば、出力動作の対象となり得る画像データに対応する第１アイコンが選択エリア１１２に一覧表示され、選択された第１アイコンに対応する第２アイコンのみがプールエリア１１３に一覧表示される。そして、一覧表示された第１アイコンのうちから、所望の画像を示す第１アイコンをユーザに指定させ、一覧表示された第２アイコンを通じて、不要な画像が選択されていないかをユーザに確認させることができる。さらに不要な画像が選択されている場合に、選択済みの第１アイコンをユーザに再指定させるか、第２アイコンをユーザに指定させることによって、当該アイコンに対応付けられた画像データを出力動作の対象から外すことができる。その結果、ユーザが所望する画像データに対する出力動作を、複合機１０に適切に指示することができる。
【０１０１】
また、上記の実施形態によれば、画像データで示される画像が上下や左右に長い長方形の画像である場合において、長方形の画像の一部を正方形に切り取った第１アイコンと、長方形の画像の全体を示す第２アイコンとが画像選択画面に一覧表示される。さらに、画像が記録された記録用紙が複合機１０から排出されたイメージに近いプレビュー画像がプレビュー画面に一覧表示される。このように、用途に合わせて異なる表示態様で対応する画像を表示することによって、出力動作の対象となる画像データを選択するユーザを、適切にアシストすることができる。
【０１０２】
また、上記の実施形態によれば、第１アイコンに付加されるチェックマークによって、第１アイコンの状態をユーザに認識させることができる。一方、第２アイコンは、ポインタ画像１１０が重ねられた場合にのみ［×］アイコン１３９が付加され、［×］アイコン１３９が指定されたことに応じて非表示にされる。このように、［×］アイコン１３９を付加する第２アイコンを最小限にすることによって、不要な画像が選択されていないかを確認しやすいインタフェースを提供することができる。
【０１０３】
また、上記の実施形態によれば、画像選択画面の隣接方向のサイズが変更されてもプールエリア１１３が選択エリア１１２より大きい状態が維持されるので、一覧表示された第２アイコンの視認性の低下が低減される。また、フォルダエリア１１１の必要サイズを確保したうえで、選択エリア１１２及びプールエリア１１３を可能な限り大きくすることができる。同様に、設定エリア１４２の必要サイズを確保したうえで、プレビューエリア１４１を可能な限り大きくすることができる。
【０１０４】
また、上記の実施形態によれば、第１アイコンを指定した順序で第２アイコンがプールエリア１１３に配列される。すなわち、直近に指定した第１アイコンに対応する第２アイコンがユーザにとって見つけやすい位置に追加表示される。但し、第２アイコンの配列順序はこれに限定されず、例えば、対応する画像データのデータＩＤの昇順或いは降順であってもよいし、対応する画像データの生成日時の昇順或いは降順であってもよい。
【０１０５】
また、上記の実施形態によれば、［プレビュー］アイコン１３０が指定されたことに応じてプレビュー画面を表示させ、出力動作が実行された結果のイメージをプレビュー画像によってユーザに確認させてから、複合機１０に実際に出力動作を実行させることができる。その結果、ユーザが所望する画像データに対する出力動作を、複合機１０に適切に指示することができる。さらに、上記の実施形態によれば、条件アイコン１５１、１５２、１５３を通じて指定された出力動作の実行条件に従ってプレビュー画像が更新されるので、プレビュー画像を確認しながら適切な実行条件をユーザに選択させることができる。
【０１０６】
なお、上記の実施形態では、フォルダエリア１１１、選択エリア１１２、及びプールエリア１１３を左右方向に隣接させた例を説明したが、隣接方向は左右方向に限定されず、上下方向であってもよい。この場合、フォルダエリア１１１の上下方向の高さは固定され、プールエリア１１３の上下方向の高さは、選択エリア１１２の上下方向の高さより高く設定される。同様に、プレビューエリア１４１及び設定エリア１４２が上下方向に隣接されてもよい。この場合、設定エリア１４２の上下方向の高さは固定される。
【０１０７】
また、上記の実施形態では、フォルダエリア１１１、選択エリア１１２、及びプールエリア１１３を画像選択画面に含め、プレビューエリア１４１及び設定エリア１４２をプレビュー画面に含めた例を説明したが、各エリア１１１〜１１３、１４１、１４２をどの画面に含めるかは、上記の例に限定されない。一例として、選択エリア１１２、プールエリア１１３、及びプレビューエリア１４１を同一の画面に含めてもよい。この場合、選択エリア１１２、プールエリア１１３、及びプレビューエリア１４１を、この順番で左右方向に隣接させてもよいし、上下方向に隣接させてもよい。
【０１０８】
他の例として、選択エリア１１２及びプールエリア１１３を別々の画面に含めてもよい。そして、選択エリア１１２を含む選択画面と、プールエリア１１３を含むプール画面とを、選択的に表示部５３に表示させてもよい。選択画面及びプール画面の一方から他方へ画面が切り替わるトリガは特に限定されないが、例えば、第１アイコンが選択される度に、選択画面に代えてプール画面が表示部５３に表示されてもよい。または、選択画面に含まれる切替アイコンが指定されたことに応じてプール画面に切り替えられ、プール画面に含まれる切替アイコンが指定されたことに応じて選択画面に切り替えられてもよい。選択画面を表示させる処理は第１一覧表示処理の一例であり、プール画面を表示させる処理は第２一覧表示処理の一例である。上記の構成は、例えば、表示部５３の表示領域が比較的小さいスマートフォン等に適用されることによって、特に有利な作用効果を奏する。
【０１０９】
また、上記の実施形態の複合機１０及び情報処理端末５０において、記憶部３２、６２のプログラム記憶領域３２Ａ、６２Ａに記憶された各種プログラムがＣＰＵ３１、６１によって実行されることによって、本発明の制御部が実行する各処理が実現される例を説明した。しかしながら、制御部の構成はこれに限定されず、その一部又は全部を集積回路（ＩＣ（Ｉｎｔｅｇｒａｔｅｄ  Ｃｉｒｃｕｉｔの略）とも言う。）等のハードウェアで実現してもよい。
【０１１０】
さらに、本発明は、複合機１０及び情報処理端末５０として実現できるだけでなく、複合機１０及び情報処理端末５０に処理を実行させるプログラムとして実現してもよい。そして、当該プログラムは、ｎｏｎ−ｔｒａｎｓｉｔｏｒｙな記録媒体に記録されて提供されてもよい。ｎｏｎ−ｔｒａｎｓｉｔｏｒｙな記録媒体は、ＣＤ−ＲＯＭ、ＤＶＤ−ＲＯＭ等の他、通信ネットワーク１０１を通じて複合機１０及び情報処理端末５０に接続可能なサーバに搭載された記憶部を含んでもよい。そして、サーバの記憶部に記憶されたプログラムは、当該プログラムを示す情報或いは信号として、インターネット等の通信ネットワーク１０１を通じて配信されてもよい。
【符号の説明】
【０１１１】
１０・・・複合機
１１・・・プリンタ部
１３・・・ＦＡＸ部
２５，５５・・・通信部
３１，６１・・・ＣＰＵ
３５・・・装置プログラム
６５・・・端末プログラム
５０・・・情報処理端末
５３・・・表示部
５４・・・操作部
６２・・・記憶部
【図１】
0006613794.tif 000004
【図２】
0006613794.tif 000005
【図３】
0006613794.tif 000006
【図４】
0006613794.tif 000007
【図５】
0006613794.tif 000008
【図６】
0006613794.tif 000009
【図７】
0006613794.tif 000010
【図８】
0006613794.tif 000011
【図９】
0006613794.tif 000012
【図１０】
0006613794.tif 000013
【図１１】
0006613794.tif 000014